(57)【要約】【課題】内容液が吐出されて行くのに伴って、吊り下げた袋本体が潰れてゆく際の形状を安定させて、きれいに折り畳まれるようにすることのできる袋容器ホルダーを提供する。【解決手段】袋本体１１と口具２２及びポンプディスペンサー２０とを備える袋容器１０と組み合わせて用いる袋容器ホルダー３０であって、底板部３１と、底板部３１から立設する立設部３２と、立設部３２から張り出して設けられた張出し係止部３３とを備える。張出し係止部３３に口具２２を係止して、袋本体１１を吊り下げた状態で保持する。張出し係止部３３の直下部分に配置されて、底部折畳み誘導突リブ３５が、底板部３１から上方に突出して設けられている。底部折畳み誘導突リブ３５は、吊り下げられた袋容器１０の袋本体１１の、底面シート１４による底面部１７の中央部分を、上方に押し上げることで、底面部が折り畳まれるように誘導する。【選択図】図１
2018087022.tif 000002
【特許請求の範囲】
【請求項１】
正面シートと、背面シートと、底面シートとを含んで形成される袋本体と、該袋本体の上端部に取り付けられた口具及びポンプディスペンサーとを備える袋容器と組み合わせて用いる袋容器ホルダーであって、
載置面に載置される底板部と、該底板部から縦方向に立設して設けられた立設部と、該立設部から横方向に張り出して設けられた張出し係止部とを備えており、前記張出し係止部に前記口具を係止して、前記袋本体を吊り下げた状態で保持できるようになっており、
前記張出し係止部の直下部分に配置されて、底部折畳み誘導突リブが、前記底板部から上方に突出して設けられており、
前記底部折畳み誘導突リブは、吊り下げられた前記袋容器の前記袋本体の、前記底面シートによる底面部の中央部分を、上方に押し上げることで、前記底面部が折り畳まれるように誘導する袋容器ホルダー。
【請求項２】
前記底面シートは、２つ折りされて前記正面シートと前記背面シートとの間に挟み込まれた状態から広げられることにより、前記袋本体の前記底面部を形成するようになっており、前記底部折畳み誘導突リブは、吊り下げられた前記袋本体の前記底面部を形成する前記底面シートの折れ線に沿った方向に、横長に形成されている請求項１記載の袋容器ホルダー。
【請求項３】
前記底部折畳み誘導突リブの上端面が、湾曲する形状となるように面取りされている請求項１又は２記載の袋容器ホルダー。
【発明の詳細な説明】
【技術分野】
【０００１】
本発明は、袋容器ホルダーに関し、特に、袋本体とポンプディスペンサーとを備える袋容器と組み合わせて用いる袋容器ホルダーに関する。
【背景技術】
【０００２】
例えばシャンプー液、リンス液、化粧液、薬剤等の液体状の内容物を収容すると共に、収容された内容物を吸い出すポンプディスペンサーを取り付けて使用される容器として、容器本体がプラスチック製やガラス製の硬質の容器からなるものに代えて、樹脂製のシート材料を用いて形成された袋状の容器本体を用いたポンプディスペンサー付き袋容器が知られている（例えば、特許文献１、特許文献２参照）。
【０００３】
ポンプディスペンサー付き袋容器の場合、袋状の容器本体は、軟質の柔らかいシート材料を用いて形成されており、容器本体によって、ポンプディスペンサーを操作する際の押し下げ力を支持できないことから、ポンプディスペンサーの吸入口に、袋状の容器本体の底部まで延設する棒状の筒部を設けて、つっかい棒のように機能させたり（例えば、特許文献１参照）、袋容器を、底板部と、底板部から立設して設けられた立設部と、立設部の上端部から張り出して設けられた張出し係止部とを備える容器ホルダーから吊り下げて、この容器ホルダーによって押し下げ力を支持させるようにする工夫がなされている（例えば、特許文献２参照）。
【先行技術文献】
【特許文献】
【０００４】
【特許文献１】特開２００５−１３２４６３号公報
【特許文献２】実用新案登録第３０６６８３１号公報
【発明の概要】
【発明が解決しようとする課題】
【０００５】
しかしながら、特許文献２に記載の発明のように、ポンプディスペンサー付き袋容器を容器ホルダーから吊り下げて用いる場合、内容液が吐出されて行くのに伴って、袋状の容器本体が潰れてゆく際の形状がなり行きまかせとなって安定しないことから、内部に内容液を残留させる空間を生じ易くなると共に、容器本体をきれいに折り畳んでゆくことが困難になる。
【０００６】
本発明は、内容液が吐出されて行くのに伴って、吊り下げた袋状の容器本体（袋本体）が潰れてゆく際の形状を安定させて、袋本体がきれいに折り畳まれるようにすることのできる袋容器ホルダーを提供することを目的とする。
【課題を解決するための手段】
【０００７】
本発明は、正面シートと、背面シートと、底面シートとを含んで形成される袋本体と、該袋本体の上端部に取り付けられた口具及びポンプディスペンサーとを備える袋容器と組み合わせて用いる袋容器ホルダーであって、載置面に載置される底板部と、該底板部から縦方向に立設して設けられた立設部と、該立設部から横方向に張り出して設けられた張出し係止部とを備えており、前記張出し係止部に前記口具を係止して、前記袋本体を吊り下げた状態で保持できるようになっており、前記張出し係止部の直下部分に配置されて、底部折畳み誘導突リブが、前記底板部から上方に突出して設けられており、前記底部折畳み誘導突リブは、吊り下げられた前記袋容器の前記袋本体の、前記底面シートによる底面部の中央部分を、上方に押し上げることで、前記底面部が折り畳まれるように誘導する袋容器ホルダーを提供することにより、上記目的を達成したものである。
【発明の効果】
【０００８】
本発明の袋容器ホルダーによれば、内容液が吐出されて行くのに伴って、吊り下げた袋本体が潰れてゆく際の形状を安定させて、袋本体がきれいに折り畳まれるようにすることができる。
【図面の簡単な説明】
【０００９】
【図１】本発明の好ましい一実施形態に係る袋容器ホルダーの斜視図である。
【図２】本発明の好ましい一実施形態に係る袋容器ホルダーに、ポンプディスペンサー付き袋容器を吊り下げた状態の斜視図である。
【図３】本発明の好ましい一実施形態に係る袋容器ホルダーと組み合わせて用いるポンプディスペンサー付き袋容器を、袋本体の内部を透視して示す内容液が充填された状態の斜視図である。
【図４】本発明の好ましい一実施形態に係る袋容器ホルダーと組み合わせて用いるポンプディスペンサー付き袋容器を、袋本体の内部を透視して示す底面シートが２つ折りされた状態の斜視図である。
【発明を実施するための形態】
【００１０】
図１及び図２に示す本発明の好ましい一実施形態に係る袋容器ホルダー３０は、内容液を収容する袋本体１１の上端部にポンプディスペンサー２０が取り付けられた、ポンプディスペンサー付き袋容器１０を装着して、ポンプディスペンサー付き袋容器１０を吊り下げた状態で保持すると共に、ポンプディスペンサー２０の押圧操作部であるノズルヘッド２４を押し下げて内容液を吐出させる際の押し下げ力を支持するための、吊り下げスタンドとして用いられる。本実施形態の袋容器ホルダー３０は、吊り下げた袋容器１０の袋本体１１が、内容液が吐出されるのに伴って潰れてゆく際に、形状の変化がなり行きまかせとならないようにして、安定した状態できれいに折り畳まれるように誘導する機能を備えている。
【００１１】
そして、本実施形態の袋容器ホルダー３０は、正面シート１２と、背面シート１３と、底面シート１４とを含んで形成される袋本体１１と、この袋本体１１の上端部に取り付けられた口具及びポンプディスペンサー２０とを備える袋容器（ポンプディスペンサー付き袋容器）１０と組み合わせて用いるホルダーであって、図１及び図２に示すように、載置面に載置される底板部３１と、底板部３１から縦方向に立設して設けられた立設部３２と、立設部３２から横方向に張り出して設けられた張出し係止部３３とを備えており、張出し係止部３３に口具２２を係止して、袋本体１１を吊り下げた状態で保持できるようになっている。張出し係止部３３の直下部分に配置されて、底部折畳み誘導突リブ３５が、底板部３１から上方に突出して設けられており、底部折畳み誘導突リブ３５は、吊り下げられた袋容器１０の袋本体１１の、底面シート１４（図３参照）による底面部１７の中央部分を、上方に押し上げることで、底面部が折り畳まれるように誘導する。
【００１２】
また、本実施形態では、袋容器ホルダー３０と組み合わせて用いるポンプディスペンサー付き袋容器１０の袋本体１１を形成する底面シート１４は、２つ折りされて正面シート１２と背面シート１３との間に挟み込まれた状態から広げられることにより、袋本体１１の底面部１７を形成するようになっており（図３、図４参照）、底部折畳み誘導突リブ３５は、吊り下げられた袋本体１１の底面部１７を形成する底面シート１４の折れ線１４ｂに沿った方向に、横長に形成されている。
【００１３】
本実施形態では、袋容器ホルダー３０と組み合わせて用いるポンプディスペンサー付き袋容器１０は、図３及び図４に示すように、好ましくは正面シート１２、背面シート１３、及び底面シート１４を含んで形成される袋本体１１と、袋本体１１の天面シート１５による天面部１６に取り付けられた口具２２及びポンプディスペンサー２０とを備える袋容器となっている。底面シート１４は、２つ折りされて正面シート１２と背面シート１３との間に挟み込まれた状態から広げられることにより、袋本体１１の底面部１７を形成するようになっている（図３参照）。ポンプディスペンサー２０は、底面シート１４に向けて延設する吸引チューブ等からなる吸上げ筒部２１を備えており、吸上げ筒部２１は、底面シート１４が２つ折りされた状態で、先端開口部２１ａを底面シート１４の折幅Ｂの範囲内に位置させる長さＬを有している（図４参照）。
【００１４】
また、本実施形態では、広げられた天面シート１５に正面シート１２及び背面シート１３の一部が密着している状態で（図４参照）、吸上げ筒部２１は、先端開口部２１ａを底面シート１４の折幅Ｂの範囲内に位置させる長さＬを有している。
【００１５】
本実施形態では、ポンプディスペンサー付き袋容器１０を構成する袋本体１１は、図３及び図４に示すように、正面シート１２、背面シート１３、底面シート１４、及び天面シート１５を有しており、天面シート１５により天面部１６が、正面シート１２により正面部１８が、背面シート１３により背面部１９が、底面シート１４により底面部１７が、各々形成されている。袋容器１０においては、正面シート１２の両側の縁部１２ａ，１２ａと背面シート１３の両側の縁部１３ａ，１３ａとが接合されており、下端部においては、２つ折りされた底面シート１４における両側の縁部１４ａ，１４ａが、正面シート１２の縁部１２ａと背面シート１３の縁部１３ａとの間に挟まれた状態で一体に接合されている。また、袋容器１０の上端部においては、天面シート１５における両側の縁部１５ａ，１５ａが、正面シート１２の縁部１２ａと背面シート１３の縁部１３ａとに一体に接合されている。なお、図３及び図４においては、天面シート１５による天面部１６に接合された口具２２に、ポンプディスペンサー２０が取り付けられた状態で示されている。
【００１６】
このように、ポンプディスペンサー付き袋容器１０は、天面シート１５、正面シート１２、背面シート１３、及び底面シート１４の縁部１５ａ，１２ａ，１３ａ，１４ａが互いに接合されることによって、内部に内容液を収容する袋本体１１が形成されている。各々のシート間の接合には、ヒートシール、超音波シール、高周波シール、接着剤等の各種公知の方法を用いることができるが、ヒートシール、超音波シール等による熱融着が、加工が容易であることや接着剤の使用抑制の観点から好ましい。
【００１７】
袋本体１１の天面シート１５による天面部１６には、ポンプディスペンサー２０を着脱可能に取り付けるための口具２２（一部のみ図示）が設けられている。口具２２は、外周面に螺条が形成された円筒状のキャップ装着部（図示せず）と、キャップ装着部の下端から外方に向かって略水平に延出するフランジ部２２ａとを有しており、キャップ装着部を、天面シート１５に設けた貫通孔（図示せず）に挿通させるとともに、天面シート１５の下面にフランジ部２２ａの上面を接合することによって取り付けられている。
【００１８】
天面シート１５と口具２２のフランジ部２２ａとを接合する方法としては、ヒートシール、超音波シール、高周波シール、接着剤等の各種公知の方法を用いることができるが、ヒートシール、超音波シール等による熱融着が、加工が容易であることや接着剤の使用抑制の観点から好ましい。
【００１９】
袋本体１１を構成する正面シート１２、背面シート１３、底面シート１４、及び天面シート１５は、例えば、ポリプロピレン樹脂、ポリエチレン樹脂といったポリオレフィン樹脂等からなる合成樹脂製のフィルム材シート、該合成樹脂製のフィルムとアルミニウム等の金属との積層体からなるフィルム材シート、或いは該合成樹脂製のフィルムにアルミニウム等の金属を蒸着したフィルム材シートを用いて形成されている。袋本体１１を形成した際の、正面シート１２、背面シート１３、底面シート１４、及び天面シート１５の各々の内面は、ポリオレフィン樹脂を主成分とするシーラント層から構成されていることが好ましい。袋本体１１を構成するフィルム材シートは、使用資材の抑制やゴミの減容等の観点から、厚さが、好ましくは５０μｍ以上１５０μｍ以下、より好ましくは９０μｍ以上１２０μｍ以下となっている。
【００２０】
袋本体１１の収容部に収容される内容液としては、例えばシャンプー液、リンス液、コンディショナー液、化粧液、薬剤、ボディソープ液等を挙げることができる。
【００２１】
袋本体１１と共にポンプディスペンサー付き袋容器１０を構成するポンプディスペンサー２０は、図２及び図３に示すように、ポンプハウジング２３内に形成されたポンプ室（図示せず）を、ピストン（図示せず）で拡縮させることによって、吸上げ筒部２１からの内容液の吸い込み、及び吸い込んだ内容液のノズルヘッド２４のノズル部２４ａからの吐出を行う、公知のポンプ式の吐出機構を備えている。
【００２２】
より詳細に説明すると、ポンプディスペンサー２０は、内周面に螺条を有し袋本体１１に取り付けた口具２２の周囲に螺合させることにより、当該ポンプディスペンサー２０を袋本体の天面部１６に固定可能な固定用キャップ部２５と、ポンプハウジング２３と、吸上げ筒部２１とを備えている。公知のポンプ式の吐出機構を構成する要素として、ポンプハウジング２３と、ポンプハウジング２３に往復運動可能に収容され、ポンプハウジング２３内に画成されるポンプ室を拡縮可能とするピストン（図示せず）と、ピストンによって圧縮状態にあるポンプ室と連通可能な吐出通路を備えるステム（図示せず）と、ポンプハウジング２３の外部に突出するステムの端部に固定され、ステムの吐出通路に連通するノズル部２４ａを備えたノズルヘッド２４（押圧操作部）とを備えている。ポンプディスペンサー２０が備える吐出機構では、ノズルヘッド２４を押し下げることにより、ステムが往動してピストンが下降すると、そのピストンによって圧縮されたポンプ室内の内容液が、ステム内の吐出通路を経てノズル部２４ａから吐出される。他方、吐出後に、バネ等の付勢力等によりステムが復動すると、袋本体１１の内部の収容部に収容された内容液が、吸上げ筒部２１を介して、ポンプハウジング２３内の減圧されたポンプ室に吸い込まれる。なお、ポンプハウジング２３は、吸上げ筒部２１との境界部付近にボール弁を内蔵している。また、本実施形態では、ポンプディスペンサー２０には、空気置換を行わせる機構は設けられておらず、内容液が吐出されるのに伴って、袋本体１１が潰れてゆくようになっている。
【００２３】
このようなポンプディスペンサー２０としては、例えば、実開平６−３９７５２号公報に記載のポンプ式吐出容器に用いたものと同様の構成を備えるものを用いることができる。
【００２４】
また、本実施形態では、ポンプディスペンサー２０が装着される上述の口具２２には、固定用キャップ部２５の下方に配置されると共に、外側に円環状に張り出して、環状係止ツバ部２６が、上下方向に間隔をおいて一対設けられている。これらの環状係止ツバ部２６の間の部分を、後述する袋容器ホルダー３０の張出し係止部３３のコの字形状に切り欠かれた切欠き係止部３４に差し込むようにして、口具２２を張出し係止部３３に係止させることにより、ポンプディスペンサー付き袋容器１０を、袋容器ホルダー３０に吊り下げた状態で保持できるようになっている。
【００２５】
そして、本実施形態では、ポンプディスペンサー２０は、底面シート１４に向けて延設する、吸引チューブ等からなる吸上げ筒部２１を備えており、吸上げ筒部２１は、上述のように、底面シート１４が２つ折りされた状態で（図４参照）、先端開口部２１ａを底面シート１４の折幅Ｂの範囲内に位置させる長さＬを有している。
【００２６】
すなわち、本実施形態では、底面シート１４は、折幅Ｂを例えば３０〜４０ｍｍとして、２つ折りされた状態で、正面シート１２と背面シート１３との間に挟み込まれて、これらの間に接合されている。また、吸上げ筒部２１は、例えば１０〜１３ｍｍ程度の外径を有しており、先端開口部２１ａを底面シート１４の折幅Ｂの範囲内に位置させる長さＬとして、先端開口部２１ａが、２つ折りされた底面シート１４の上端から、好ましくは０ｍｍ以上、より好ましくは１０ｍｍ以上、さらに好ましくは１５ｍｍ以上、下方に配置されるような長さを有している。さらに、吸上げ筒部２１は、先端開口部２１ａを底面シート１４の折幅Ｂの範囲内に位置させる長さＬとして、先端開口部２１ａが、２つ折りされた底面シート１４の下端から、好ましくは０ｍｍ以上、より好ましくは１０ｍｍ以上、さらに好ましくは１５ｍｍ以上、上方に配置されるような長さを有している。これらによって、内容液が吐出されるのに伴って、底面シート１４が元の２つ折りされた状態へ戻り易くなると共に、吸上げ筒部２１の先端開口部２１ａが折幅Ｂの範囲内に収まり易くなり、且つ袋本体１１の正面部１８及び背面部１９による胴部と底面部１７が平坦状に潰れ易くなることで、内容液の残量を極力ゼロに近づけること可能になる。また、吸上げ筒部２１の長さが長過ぎると、底面シート１４が折り畳まれる時に吸上げ筒部２１が底面シート１４につっかえることで、正面部１８及び背面部１９による胴部と底面部１７が平坦状に潰れ難くなって、内容液を残留させる空間を生じ易くなる。吸上げ筒部２１の長さが短かすぎると、正面部１８及び背面部１９による胴部と底面部１７は平坦状に潰れることが可能であるが、底面シート１４の折幅Ｂの範囲内にある内容液を、吸い上げきれなくなる。
【００２７】
ポンプディスペンサー付き袋容器１０は、図２に示すように、本実施形態の袋容器ホルダー３０の張出し係止部３３に、口具２２を係止することで、吊り下げた状態として、袋容器ホルダー３０と組み合わせて用いることができる。ポンプディスペンサー付き袋容器１０の袋本体１１は、軟質の柔らかいシート材料を用いて形成されており、袋本体１１は、ポンプディスペンサー２０を操作する際の押し下げ力を支持できないが、袋容器１０を袋容器ホルダー３０に装着して用いることによって、押し下げ力を支持させることが可能になる。
【００２８】
本実施形態の袋容器ホルダー３０は、例えばポリプロピレン樹脂、ポリエチレン樹脂、アクリロニトリル・ブタジエン・スチレン共重合樹脂等の合成樹脂を用いた射出成形品となっており、図１にも示すように、載置面に載置される底板部３１と、底板部３１から縦方向に立設して設けられた立設部３２と、立設部３２の上端部から横方向に張り出して設けられた張出し係止部３３とを備えている。張出し係止部３３には、張り出し側の先端部を基端部側にコの字形状に切り欠いて、切欠き係止部３４が形成されている。この切欠き係止部３４に、口具２２に設けられた環状係止ツバ部２６を差し込むようして係止させることにより、ポンプディスペンサー付き袋容器１０を、底面シート１４による底面部１７を底板部３１に近接配置させるか、又は接触させた状態で、袋容器ホルダー３０に吊り下げて保持できるようになっている。
【００２９】
これによって、ポンプディスペンサー２０を操作する際の押し下げ力を、張出し係止部３３及び立設部３２を介して、載置面に載置された底板部３１に伝えることで、安定した状態で支持させることが可能になる。またこれによって、内容液を所定量吐出させる操作を、よりスムーズに且つ容易に行うことが可能になる。
【００３０】
本実施形態では、袋容器ホルダー３０には、張出し係止部３３の直下部分に配置されて、底部折畳み誘導突リブ３５が、底板部３１から上方に突出して設けられている。底部折畳み誘導突リブ３５は、吊り下げられたポンプディスペンサー付き袋容器１０の袋本体１１の、底板部３１に近接して、又は接触して配置された底面シート１４による底面部１７の中央部分を、上方に押し上げることで、底面部１７の底面シート１４が二つ折りに折り畳まれるように誘導できるようになっている。
【００３１】
これによって、内容液が吐出されて行くのに伴って、袋本体１１が潰れてゆく際の形状を、より安定させて、底面部１７の底面シート１４が、さらにきれいに折り畳まれるように誘導することが可能になる。
【００３２】
ここで、底部折畳み誘導突リブ３５は、底面部１７の底面シート１４が突っ張らない程度に、ほど良く上方に押し上げることを可能にするという観点から、例えばポンプディスペンサー付き袋容器１０の袋本体１１の底面部１７を構成する底面シート１４の折幅Ｂの、１２〜５０％の高さｈを有していることが好ましく、１５〜３４％の高さｈを有していることがより好ましく、１７〜２７％の高さｈを有していることがさらに好ましい。底部折畳み誘導突リブ３５は、同様の観点から、５〜１５ｍｍの高さｈを有していることが好ましく、６〜１０ｍｍの高さｈを有していることがより好ましく、７〜８ｍｍの高さｈを有していることがさらに好ましい。
【００３３】
また、底部折畳み誘導突リブ３５は、袋容器１０が袋容器ホルダー３０に係止された状態で、できるだけ広範囲に底面シート１４と接触することで、底面シート１４の折畳みを誘導しやすくするという観点から、例えばポンプディスペンサー付き袋容器１０の袋本体１１の底面部１７を構成する底面シート１４の横幅Ｂ’（図４参照）の、１０〜４０％の横方向の長さｌを有していることが好ましく、２０〜４０％の横方向の長さｌを有していることがより好ましく、３０〜４０％の横方向の長さｌを有していることがさらに好ましい。底部折畳み誘導突リブ３５は、同様の観点から、１０〜４０ｍｍの横方向の長さｌを有していることが好ましく、２０〜４０ｍｍの横方向の長さｌを有していることがより好ましく、３０〜４０ｍｍの横方向の長さｌを有していることがさらに好ましい。
【００３４】
さらに、底部折畳み誘導突リブ３５は、当該誘導突リブ３５自体の強度の向上と底面部１７の中央部分を効果的に上方に押し上げるという観点から、１〜５ｍｍの前後方向の厚さｔを有していることが好ましく、２〜４ｍｍの前後方向の厚さｔを有していることがより好ましく、２〜３ｍｍの前後方向の厚さｔを有していることがさらに好ましい。
【００３５】
さらにまた、底部折畳み誘導突リブ３５は、上端面３５ａが、湾曲する形状となるように、好ましくは円弧状に面取りされている。これによって、誘導突リブ３５の上端面３５ａが平坦な状態の場合よりも、底面部１７の中央部分をより効果的に上方に押し上げることができ、底面部１７の底面シート１４を一層きれに折り畳むことが可能になる。
【００３６】
そして、上述の構成を備える本実施形態の袋容器ホルダー３０によれば、内容液が吐出されて行くのに伴って、吊り下げたポンプディスペンサー付き袋容器１０の袋本体１１が潰れてゆく際の形状を安定させて、袋本体１１がきれいに折り畳まれるようにすることが可能になる。
【００３７】
すなわち、本実施形態の袋容器ホルダー３０は、底板部３１と、立設部３２と、張出し係止部３３とを備えており、張出し係止部３３に口具２２を係止することで、袋本体１１の底面部１７を底板部３１に近接して、又は接触して配置して、袋本体１１を吊り下げた状態で保持できるようになっている。また、張出し係止部３３の直下部分に配置されて、底部折畳み誘導突リブ３５が、底板部３１から上方に突出して設けられているので、内容液が吐出されて行くのに伴って袋本体１１が潰れてゆく際に、底部折畳み誘導突リブ３５は、吊り下げた袋容器１０の袋本体１１の、底面シート１４による底面部１７の中央部分を、上方に押し上げてゆくことが可能になり、これによって、底面部が好ましくは２つ折りに折り畳まれるように効果的に誘導して、袋本体１１がきれいに折り畳まれるようにすることが可能になる。
【００３８】
また、本実施形態では、袋本体１１の底面シート１４は、２つ折りされて正面シート１２と背面シート１３との間に挟み込まれた状態から広げられることにより、袋本体１１の底面部１７を形成するようになっており、底部折畳み誘導突リブ３５は、吊り下げられた袋本体１１の底面部１７を形成する底面シート１４の折れ線１４ｂ（図３、図４参照）に沿った方向に、横長に形成されているので、内容液が吐出されて行くのに伴って、袋本体１１が潰れてゆく際の形状を、より一層安定させて、底面部１７の底面シート１４が、さらに一層きれいに折り畳まれるように誘導することが可能になる。
【００３９】
さらに、本実施形態では、ポンプディスペンサー付き袋容器１０は、ポンプディスペンサー２０に設けられて、底面シート１４に向けて延設する吸上げ筒部２１が、底面シート１４が２つ折りされた状態で、先端開口部２１ａを底面シート１４の折幅Ｂの範囲内に位置させる長さＬを有している。これによって、本実施形態によれば、袋本体１１が、正面シート１２、背面シート１３、底面シート１４、及び天面シート１５を含んで形成されており、底面シート１４は、２つ折りされて正面シート１２と背面シート１３との間に挟み込まれた状態から広げられることによって、袋本体１１の底面部１７を形成するようになっており、内容液が吐出されて行くのに伴って、例えば広げられた天面シート１５に正面シート１２及び背面シート１３の上端部の一部が密着した状態となることで、底面部１７が持ち上げられることにより、底面部１７と天面部１６との間隔が小さくなった場合でも、先端開口部２１ａは、折幅Ｂの範囲内に位置する状態を保持することが可能になる。これによって、先端開口部２１ａを介したポンプディスペンサー２０からの内容液の吸い上げ力を、折幅Ｂの範囲内に効率良く伝えることが可能になり、袋本体１１が潰れてゆく際の形状を安定させて、袋本体１１をきれいに折り畳んでゆくことが可能になる。またこれによって、内容液の残量を極力ゼロに近づけるようにすることが可能になる。
【００４０】
なお、本発明は上記実施形態に限定されることなく種々の変更が可能である。例えば、底部折畳み誘導突リブは、袋本体の底面部を形成する底面シートの折れ線に沿った方向に、横長に形成されている必要は必ずしも無く、突起状に突出して形成されたもの等であっても良い。底部折畳み誘導突リブの上端面は、湾曲する形状となるように面取りされている必要は必ずしも無い。袋容器ホルダーに吊り下げられる袋容器の袋本体は、正面シート、背面シート、天面シート、及び底面シートからなるものである必要は必ずしも無く、天面シートを備えていなくても良い。袋本体は、２つ折りされて、正面シートの側部と背面シートの側部との間に挟み込まれた、側面シートを含む、ガセット形状のものであっても良い。
【符号の説明】
【００４１】
１０  ポンプディスペンサー付き袋容器
１１  袋本体
１２  正面シート
１２ａ  縁部
１３  背面シート
１３ａ  縁部
１４  底面シート
１４ａ  縁部
１４ｂ  折れ線
１５  天面シート
１５ａ  縁部
１６  天面部
１７  底面部
１８  正面部
１９  背面部
２０  ポンプディスペンサー
２１  吸上げ筒部
２１ａ  先端開口部
２２  口具
２２ａ  フランジ部
２３  ポンプハウジング
２４  ノズルヘッド
２４ａ  ノズル部
２５  固定用キャップ部
２６  環状係止ツバ部
３０  袋容器ホルダー
３１  底板部
３２  立設部
３３  張出し係止部
３４  切欠き係止部
３５  底部折畳み誘導突リブ
３５ａ  上端面
Ｂ    底面シートの折幅
Ｌ    吸上げ筒部の長さ
ｈ    底部折畳み誘導突リブの高さ
ｌ    底部折畳み誘導突リブの横方向の長さ
ｔ    底部折畳み誘導突リブの前後方向の厚さ
【図１】
2018087022.tif 000003
【図２】
2018087022.tif 000004
【図３】
2018087022.tif 000005
【図４】
2018087022.tif 000006